(57)【要約】      （修正有）【課題】灯器具とランプ器具との結合を容易で、かつ、堅固に成し遂げることができる照明装置を提供する。【解決手段】灯器具１０は、固設面の反対側に凹んだ溝状に形成された結合溝１３、結合溝の一部を遮蔽する形で突出する第１突出片３０及び結合溝内で第１突出片から離隔している係止ロッカー５０を備える。ランプ器具は、照明手段を備え、結合溝上で灯器具に結合されると共に、第１突出片３０の内側面に係る第２突出片及び係止ロッカーが係る係止ブラケットを備える。第１突出片に第２突出片が係った状態でランプ器具は灯器具に対して相対回転可能であり、ランプ器具が灯器具に結合される方向に回転する時、係止ロッカーが弾性変形しながら係止ブラケットに係るようになっているため、灯器具とランプ器具との組み立てを容易に行うことができる。【選択図】図６
2016149338.tif 000002
【特許請求の範囲】
【請求項１】
一側面が固設面からなり、該固設面の反対側に凹んだ溝状に形成された結合溝、該結合溝の一部を遮蔽する形で突出する第１突出片、及び上記結合溝内で上記第１突出片から離隔している係止ロッカーを備える灯器具；及び、
照明手段を備え、上記結合溝上で上記灯器具に結合されると共に、上記第１突出片の内側面に係るようになっている第２突出片、及び上記係止ロッカーが係る係止ブラケットを備えるランプ器具；を含み、
上記第１突出片に上記第２突出片が係った状態で上記ランプ器具は上記灯器具に対して相対回転可能であり、上記ランプ器具が上記灯器具に結合される方向に回転する時、上記係止ロッカーが弾性変形しながら上記係止ブラケットに係るようになっていることを特徴とする照明装置。
【請求項２】
一側面が固設面からなり、該固設面の反対側に凹んだ溝状に形成された結合溝、該結合溝の一部を遮蔽する形で突出する第１突出片、及び上記結合溝内で上記第１突出片から離隔している係止ブラケットを備える灯器具；及び、
照明手段を備え、上記結合溝上で上記灯器具に結合されると共に、上記第１突出片の内側面に係るようになっている第２突出片、及び上記係止ブラケットに係る係止ロッカーを備えるランプ器具；を含み、
上記第１突出片に上記第２突出片が係った状態で上記ランプ器具は上記灯器具に対して相対回転可能であり、上記ランプ器具が上記灯器具に結合される方向に回転する時、上記係止ロッカーが弾性変形しながら上記係止ブラケットに係るようになっていることを特徴とする照明装置。
【請求項３】
上記結合溝は第１方向に沿って長く延びており、
上記第１突出片は上記結合溝の端部から上記灯器具の中央側に向かって突出することを特徴とする請求項１又は２に記載の照明装置。
【請求項４】
上記結合溝の外側端部は、上記第１方向に沿って幅が一定であり、
上記ランプ器具は、上記第１方向に沿って断面が一定であると共に、上記結合溝に向かうほど幅が減少する台形からなり、上記結合溝に向かう側の端部の幅は、上記結合溝の外側端部の幅よりも小さいか若しくは等しくなっており、上記結合溝と遠い側の端部の幅は、上記結合溝の外側端部の幅よりも大きくなっていることを特徴とする請求項３に記載の照明装置。
【請求項５】
上記ランプ器具には、
上記第１方向に沿って長く延びてなり、上記結合溝の内側面に密着又は近接する一対のガイドパネルが形成されることを特徴とする請求項４に記載の照明装置。
【請求項６】
上記ランプ器具は、
上記照明手段を内部に有するハウジング；及び、
上記第１方向側の端部で上記ハウジング内を遮蔽するキャップ；を含み、
上記第２突出片は、上記キャップの下端部と離隔して上記第１突出片が挿入される挿入溝をなすことを特徴とする請求項３に記載の照明装置。
【請求項７】
上記第１突出片は、
第１密着部；及び、
上記第１密着部の端部から上記第１方向に沿って更に突出すると共に、一対からなって互いに離隔している第１係止部；を含み、
上記第２突出片は、
上記第１方向と交差する方向に形成され、一対の上記第１係止部の間にぴったりと嵌合される第２係止部；及び、
上記第２係止部の端部で折曲形成され、上記第１密着部の内側面に密着する第２密着部；を含むことを特徴とする請求項３に記載の照明装置。
【請求項８】
上記第２突出片は、
上記第２密着部の端部で延びていて、上記第１密着部と離れる方向に折曲されたガイド部を含むことを特徴とする請求項７に記載の照明装置。
【請求項９】
上記係止ロッカーは、
ロッカーブラケット；
上記ロッカーブラケットに回転可能に結合され、一側に傾斜面が形成された係止フック；及び、
上記係止フックを弾力支持する係止バネ；を含み、
上記係止ブラケットは、
上記ランプ器具が上記灯器具に結合される方向へ回転する時、上記傾斜面を加圧しながら上記係止バネが圧縮される方向に上記係止フックを回転させる係止板；及び、
上記係止フックが挿入されて係るように上記係止板に貫通形成される係止穴；を含むことを特徴とする請求項１又は２に記載の照明装置。
【請求項１０】
上記係止ブラケットは、
弾性を持つ金属板を折曲してなり、
上記係止板の端部で折曲され、上記灯器具またはランプ器具に密着して固定される第１固定部；
上記第１固定部と反対側へ上記係止板で折曲され、上記灯器具又はランプ器具に密着して固定される第２固定部；及び、
外側端部が自由端からなる上記係止板；を含むことを特徴とする請求項９に記載の照明装置。
【請求項１１】
上記灯器具は、
上記係止フックが上記係止穴から引き出される方向に上記係止フックを回転させる着脱手段を含むことを特徴とする請求項９に記載の照明装置。
【発明の詳細な説明】
【技術分野】
【０００１】
本発明は、照明装置に関し、より詳しくは、建物のような構造物に固定される灯器具と、かかる灯器具に結合されるランプ器具とを含む照明装置であって、灯器具とランプ器具との結合を容易に成し遂げることができる照明装置に関する。
【背景技術】
【０００２】
電気エネルギーを光エネルギーへ転換させる照明装置は、多様な形態で開発されており、建物のような構造物に設置される照明装置は、構造物に固定された形態で設置されるのが一般的である。
【０００３】
最近は、ＬＥＤ（Ｌｉｇｈｔ  Ｅｍｉｔｔｉｎｇ  Ｄｉｏｄｅ）照明装置が脚光を浴びており、基板に設置された一つまたは多数のＬＥＤを用いて照明に使用している。
【０００４】
このような照明装置の一例として、韓国登録特許第１０−１２８５６９１号は「駐車場用照明装置」を開示し、具体的には、上部が開口された内部空間を有するヒートシンクフレームと、該ヒートシンクフレームの内部空間の底面中心部に多数のＬＥＤが実装されて結合されるＰＣＢ基板と、上記ヒートシンクフレームの両端に結合され、上記各ＬＥＤから発した光を拡散させて出射する光拡散カバーと、上記ヒートシンクフレームの長手方向に沿って各ＬＥＤの両側に構成され、各ＬＥＤから発する光を屈折反射させるリフレクター（ｒｅｆｌｅｃｔｏｒ）と、上記光拡散カバーの上端両側縁に長手方向に挿入されて上記光拡散カバーを支持する押出棒とを含んでなり、この時、ＬＥＤの両側に所定高さで突出するようにリフレクターを設け、ＬＥＤから発する光をリフレクターの反射面に向かって照らして反射させることにより、光効率を高められることを記載している。
【０００５】
このような照明装置を天井などに設置する場合、天井内を介して連結された電線を介して電源の供給を受けるようになっており、美観のためにかかる電線などは外部へ露出されないようになっているのが一般的であり、光源（例えば、ＬＥＤランプ）も、外部へ直接露出されるよりは、比較的広い面積で均一な光の照射のために、カバー等によって光源が覆われた形態からなるのが一般的である。
【０００６】
このために照明装置は、天井などに固設されて電線などが連結される灯器具部材と、光源を収容しながら灯器具部材に結合され、灯器具部材の電線を介して電源の供給を受けるランプ部材とに区分することができる。
【０００７】
このような照明装置は、天井などに設置しなければならない特性上、その設置作業に手間がかかり、上述した灯器具部材とランプ部材との結合が困難であり、特に照明装置が大きい場合（照射すべき面積が広い場合、又は高い光度が求められる場合など）にはより困難なため、設置及び組み立てを容易に行うことが可能な照明装置の開発が求められている。
【先行技術文献】
【特許文献】
【０００８】
【特許文献１】韓国登録特許第１０−１２８５６９１号（公告日：２０１３年０７月１２日）
【発明の概要】
【発明が解決しようとする課題】
【０００９】
本発明の目的は、建物のような構造物に固定される灯器具と、かかる灯器具に結合されるランプ器具とを含む照明装置であって、灯器具とランプ器具との結合を容易で且つ堅固に成し遂げることができる照明装置を提供することにある。
【課題を解決するための手段】
【００１０】
上記目的は、一側面が固設面からなり、該固設面の反対側に凹んだ溝状に形成された結合溝、該結合溝の一部を遮蔽する形態で突出する第１突出片、及び上記結合溝内で上記第１突出片から離隔している係止ロッカーを備える灯器具；及び、照明手段を備え、上記結合溝上で上記灯器具に結合されると共に、上記第１突出片の内側面に係るようになっている第２突出片、及び上記係止ロッカーが係る係止ブラケットを備えるランプ器具；を含み、上記第１突出片に上記第２突出片が係った状態で上記ランプ器具は上記灯器具に対して相対回転可能であり、上記ランプ器具が上記灯器具に結合される方向へ回転する時、上記係止ロッカーが弾性変形しながら上記係止ブラケットに係るようになっていることを特徴とする照明装置によって達成される。
【００１１】
また上記目的は、一側面が固設面からなり、該固設面の反対側に凹んだ溝状に形成された結合溝、該結合溝の一部を遮蔽する形で突出する第１突出片、及び上記結合溝内で上記第１突出片から離隔している係止ブラケットを備える灯器具；及び、照明手段を備え、上記結合溝上で上記灯器具に結合されると共に、上記第１突出片の内側面に係るようになっている第２突出片、及び上記係止ブラケットに係る係止ロッカーを備えるランプ器具；を含み、上記第１突出片に上記第２突出片が係った状態で上記ランプ器具は上記灯器具に対して相対回転可能であり、上記ランプ器具が上記灯器具に結合される方向に回転する時、上記係止ロッカーが弾性変形しながら上記係止ブラケットに係るようになっていることを特徴とする照明装置によって達成される。
【００１２】
そして本発明による照明装置において、上記結合溝は第１方向に沿って長く延びており、上記第１突出片は上記結合溝の端部から上記灯器具の中央側に向かって突出形成される。
【００１３】
ここで、上記結合溝の外側端部は、上記第１方向に沿って幅が一定であり、上記ランプ器具は、上記第１方向に沿って断面が一定であると共に、上記結合溝に向かうほど幅が減少する台形からなり、上記結合溝に向かう側の端部の幅は、上記結合溝の外側端部の幅よりも小さいか若しくは等しく形成され、上記結合溝と遠い側の端部の幅は、上記結合溝の外側端部の幅よりも大きく形成されることができる。
【００１４】
また上記ランプ器具には、上記第１方向に沿って長く延びてなり、上記結合溝の内側面に密着又は近接する一対のガイドパネルが形成されることができる。
【００１５】
また上記ランプ器具は、上記照明手段を内部に有するハウジング；及び上記第１方向側の端部で上記ハウジング内を遮蔽するキャップ；を含み、上記第２突出片は、上記キャップの端部と離隔して上記第１突出片が挿入される挿入溝をなすことができる。
【００１６】
一方、上記第１突出片は、第１密着部；及び上記第１密着部の端部から上記第１方向に沿って更に突出すると共に、一対からなって互いに離隔している第１係止部；を含み、上記第２突出片は、上記第１方向と交差する方向に形成され、一対の上記第１係止部の間にぴったりと嵌合される第２係止部；及び、上記第２係止部の端部で折曲され、上記第１密着部の内側面に密着する第２密着部；を含んでなることができる。
【００１７】
ここで、上記第２突出片は、上記第２密着部の端部で延びていて、上記第１密着部と離れる方向に折曲されたガイド部を含んでなることができる。
【００１８】
また本発明による照明装置で上記係止ロッカーは、ロッカーブラケット；上記ロッカーブラケットに回転可能に結合され、一側に傾斜面が形成された係止フック；及び該係止フックを弾力支持する係止バネ；を含み、上記係止ブラケットは、上記ランプ器具が上記灯器具に結合される方向へ回転する時、上記傾斜面を加圧しながら上記係止バネが圧縮される方向に上記係止フックを回転させる係止板；及び、上記係止フックが挿入されて係るように上記係止板に貫通形成される係止穴；を含んでなることができる。
【００１９】
そして上記係止ブラケットは、弾性を持つ金属板を折曲してなり、上記係止板の端部で折曲され、上記灯器具またはランプ器具に密着して固定される第１固定部；該第１固定部と反対側へ上記係止板で折曲され、上記灯器具またはランプ器具に密着して固定される第２固定部；及び、外側端部が自由端からなる上記係止板；を含んでなることができる。
【００２０】
また上記灯器具は、上記係止フックが上記係止穴から引き出される方向に上記係止フックを回転させる着脱手段を含んでなることができる。
【発明の効果】
【００２１】
本発明によれば、第１突出片に第２突出片が係った状態で、灯器具に対してランプ器具を相対回転させながら組み立てがなされるようにして灯器具とランプ器具の組み立てを容易にすると共に、係止ロッカーが弾性変形しながら係止ブラケットに係るようになって灯器具とランプ器具との堅固な結合が達成され、更に、外部振動などによる灯器具とランプ器具との分離をも効果的に防止することができる。
【図面の簡単な説明】
【００２２】
【図１】本発明の一実施例による照明装置を示す斜視図である。
【図２】図１の照明装置におけるランプ器具の一部分を拡大して示した図面である。
【図３】図１の照明装置における灯器具の一部分を拡大して示した図面である。
【図４】図１の照明装置において、第１突出片と第２突出片を基準にして灯器具とランプ器具を組み立てる過程を示す図面である。
【図５】図１の照明装置における灯器具とランプ器具との組み立て状態を示す断面図である。
【図６】本発明の照明装置における係止ロッカーを拡大して示した図面である。
【図７】本発明の照明装置における係止ブラケットを拡大して示した図面である。
【図８】図１の照明装置において、係止ブラケットと係止ロッカーを基準にして灯器具とランプ器具を組み立てる過程を示す図面である。
【図９】図１の照明装置における係止ブラケットと係止ロッカーとの組み立て状態を示す断面図である。
【発明を実施するための形態】
【００２３】
以下、添付図面を参照しながら本発明の望ましい実施例を詳しく説明すると、次の通りである。但し、本発明を説明するにあたって、既に公知の機能或いは構成に関する説明は、本発明の要旨を明瞭にするために省略することとする。
【００２４】
図１は、本発明の一実施例による照明装置１を示す斜視図で、図２は、図１の照明装置１におけるランプ器具２０の一部分を拡大して示した図面、図３は、図１の照明装置１における灯器具１０の一部分を拡大して示した図面、図４は、図１の照明装置１において第１突出片３０と第２突出片４０を基準にして灯器具１０とランプ器具２０とを組み立てる過程を示した図面、図５は、図１の照明装置１における灯器具１０とランプ器具２０との組み立て状態を示す断面図、図６は、本発明の照明装置１における係止ロッカー５０を示した図面、図７は、本発明の照明装置１における係止ブラケット６０を示した図面、図８は、図１の照明装置１において係止ブラケット６０と係止ロッカー５０を基準にして灯器具１０とランプ器具２０を組み立てる過程を示した図面、図９は、図１の照明装置１における係止ブラケット６０と係止ロッカー５０との組み立て状態を示した断面図である。
【００２５】
本発明による照明装置１は、灯器具１０とランプ器具２０とに区分することができる。
【００２６】
本発明による照明装置１は、建物、トンネル、橋梁などのような構造物に設置されて使われ、特に建物内部で室内を照明するのに使われる。
【００２７】
このような照明装置１において、灯器具１０は構造物に直接固定されるものであり、ランプ器具２０は構造物に直接固定されるのではなく灯器具１０に結合されるものである。
【００２８】
灯器具１０は、胴体１１の一側面が固設面１２からなり、固設面１２は構造物の表面、内部面などに密着しながら結合される。例えば、灯器具１０の固設面１２は、建物の天井に密着する形で結合されることができる。
【００２９】
灯器具１０で固設面１２の反対側の面には結合溝１３及び第１突出片３０が形成され得る。
【００３０】
結合溝１３は、灯器具１０の胴体１１の長手方向に沿って長溝状に形成され、本発明ではこのような灯器具１０の長手方向を第１方向Ａと称することとする。第１方向Ａは、曲線状又は曲がった形状からなってもよいが、図３に示すように直線状からなることが望ましい。また、灯器具１０の胴体１１も、第１方向Ａに沿って断面が一定した直線状に形成されることが望ましい。
【００３１】
結合溝１３の長さはランプ器具２０の長さに相応して形成される。
【００３２】
結合溝１３の内部には、ボルト、リベットなどのような締結手段が貫通して結合されることができ、かかる締結手段が灯器具１０を貫通して構造物に締結されることにより、灯器具１０を天井などに固定させることができるようになる。
【００３３】
結合溝１３は、第１方向Ａに沿って幅が一定に形成されることが望ましく、特に結合溝１３の外側端部が第１方向Ａに沿って幅が一定に形成されることが望ましい。
【００３４】
第１突出片３０は、概して扁平な金属板状からなり、結合溝１３の一部を遮蔽する形態で突設される。このような第１突出片３０は、結合溝１３の外側端部に隣接して形成されることができ、特に第１方向Ａの一側端部から灯器具１０の中央側に向かって突出する形で形成されることが望ましい。これによって、第１突出片３０の内面側に後述する第２突出片４０が挿入され得るようになる。
【００３５】
第１突出片３０は、第１密着部３１と第１係止部３２に区分できる。
【００３６】
第１密着部３１は、灯器具１０の他の部分と連結される部分であり、灯器具１０の胴体１１と連結される。第１密着部３１は、灯器具１０の胴体１１の側壁から一体に折曲されてなることができる。
【００３７】
第１係止部３２は、第１密着部３１の端部から第１方向Ａに沿って更に突出した部分であり、結合溝１３を遮蔽する方向に突出してなる。
【００３８】
このような第１係止部３２は、一対からなり、一対の第１係止部３２は互いに離隔している。
【００３９】
ランプ器具２０は、内部に照明手段を備え、結合溝１３上で灯器具１０に結合され、ハウジング２１、キャップ２２及び第２突出片４０を含んでなることができる。また、ランプ器具２０はガイドパネル２３を含んでなることができる。
【００４０】
ハウジング２１は、ランプ器具２０の全体的な外形を成しており、内部にＬＥＤのような照明手段２４を収容する。ハウジング２１は、内部の照明手段２４から発した光が外部へ照射され得るように透明又は半透明の素材からなり、ハウジング２１の面（特に、灯器具１０と反対側の面であって、外面又は内面であり得る）には、均一な面発光のために拡散フィルムが結合されるか、拡散フィルムと同様の表面処理がなされてもよい。
【００４１】
本発明による照明装置１において、ランプ器具２０は第１方向Ａに沿って断面が一定であり、これに伴ってハウジング２１も第１方向Ａに沿って断面が一定であることが望ましい。
【００４２】
またランプ器具２０（ハウジング２１を含む）は、結合溝１３に向かうほど幅が減少する台形からなり、結合溝１３に向かう側の端部の幅Ｌ１は、結合溝１３の幅Ｌ２よりも小さいか若しくは等しくなっており、結合溝１３の反対側に向かうほど幅が増加して外側の幅は結合溝１３の幅よりも大きくなっている。
【００４３】
これにより、ランプ器具２０が灯器具１０の結合溝１３上に係合した状態でランプ器具２０は安定して固定され、ランプ器具２０が第１方向Ａと直交する第２方向Ｂへ移動するのが阻止されてランプ器具２０と灯器具１０との間の遊び隙間を効果的に防止することができる。
【００４４】
キャップ２２は、ハウジング２１の端部に形成される部分であり、ハウジング２１の内部を遮蔽する形態でハウジング２１の第１方向Ａの両側端部に結合される。キャップ２２は、ハウジング２１とは別体に形成されてハウジング２１に結合されてもよく、又はハウジング２１と一体となっていてもよい。
【００４５】
第２突出片４０は、概して扁平な金属板を折曲した形状に形成され、ランプ器具２０の端部から外向きに突出して形成されている。
【００４６】
特に第２突出片４０は、ランプ器具２０の内側面（灯器具１０に向かう側の面）から外方へ突出した形態で形成され、この時キャップ２２と離隔して該キャップ２２との間に挿入溝４４をなす。
【００４７】
このような第２突出片４０は、第２係止部４１、第２密着部４２及びガイド部４３に区分されることができる。
【００４８】
第２係止部４１は、ランプ器具２０の他の部分と連結される部分であり、ランプ器具２０の内側面（灯器具１０に向かう側の面）から垂直の方向（第１方向Ａと直交する方向）に突出形成される。このような第２係止部４１は、一対の第１係止部３２の間にぴったりと嵌合されるようになる。
【００４９】
第２密着部４２は、第２係止部４１の端部から第１方向Ａ（外側方向）に折曲形成されて、第１密着部３１の内側面に密着する。
【００５０】
ガイド部４３は、第２密着部４２の端部から更に突出した形態からなり、特に第１密着部３１と離れる方向へ傾斜して折曲形成されて、第１突出片３０が第２突出片４０とキャップ２２との間の挿入溝４４に容易に挿入され得るように案内する。
【００５１】
ガイドパネル２３は、概して扁平で細長い板状に形成され、ランプ器具２０の灯器具１０に向かう方の端面から下方に延びて第１方向Ａに沿って長く形成される。このようなガイドパネル２３は、ランプ器具２０の全体長さにかけて形成されることができる。
【００５２】
ガイドパネル２３は一対で具備されることが望ましく、ランプ器具２０の両側端部で対称形態をなす。
【００５３】
またガイドパネル２３は、灯器具１０とランプ器具２０との結合時に結合溝１３に挿入され得るように形成され、特に結合溝１３の内側面に密着できるようになっている。すなわち、一対のガイドパネル２３の外側面間の距離は、結合溝１３の幅と等しくなる。
【００５４】
これによって灯器具１０とランプ器具２０との結合をより一層堅固にすることができ、特に第１突出片３０と第２突出片４０との結合時に結合方向を案内して両者の容易で且つ迅速な結合をなすことができる。
【００５５】
本発明による照明装置１は、係止ロッカー５０と係止ブラケット６０を含んでなり、係止ロッカー５０と係止ブラケット６０とは互いに締結される手段であって、係止ロッカー５０が灯器具１０に結合される場合、係止ブラケット６０はランプ器具２０に結合され、係止ロッカー５０がランプ器具２０に結合される場合、係止ブラケット６０は灯器具１０に結合されてなることができ、これにより、灯器具１０とランプ器具２０とが互いに完全に固定されるようになる。
【００５６】
本発明の具体的な実施例として説明される図面では、係止ロッカー５０が灯器具１０に結合され、係止ブラケット６０はランプ器具２０に結合された形態が図示されているが、これと違って、係止ロッカー５０がランプ器具２０に結合され、係止ブラケット６０が灯器具１０に結合されてなってもよい。
【００５７】
以下では、係止ロッカー５０が灯器具１０に結合され、係止ブラケット６０はランプ器具２０に結合された形態を基準として説明する。
【００５８】
係止ロッカー５０は、結合溝１３内の底面に固定結合されてランプ器具２０に向かって露出されている。
【００５９】
この係止ロッカー５０は、ロッカーブラケット５１、係止フック５２及び係止バネ５３を含んでなることができる。
【００６０】
ロッカーブラケット５１は、概してコ字形に折曲されてなり、中央部分が結合溝１３内の底面に固定され両側端部が外向きに折曲形成されて係止フック５２の回転軸５２ｂを支持できるようになっている。
【００６１】
ロッカーブラケット５１（特に、両側端部）にはストッパ５４が形成され得、ストッパ５４は係止フック５２の回転軸５２ｂの回転を制限して係止フック５２の回転軸５２ｂが一定範囲でのみ回転するように働く。
【００６２】
係止フック５２は、ロッカーブラケット５１に対して相対回転可能に結合され、結合溝１３の底から垂直上方に向かって突出した形態に形成されると共に、端部が第１方向Ａ側に向かって折曲された形態からなる。特に、係止フック５２の端部（係止ブラケット６０に係る側の端部）は、第１突出片３０に向かって折曲された形態をなす。
【００６３】
係止フック５２の端部には傾斜面５２ａが具備され、傾斜面５２ａが具備されることにより、係止フック５２は結合溝１３の底面から上方に向かって幅が細くなる形態からなる。
【００６４】
係止バネ５３は弾性バネ、例えばコイルバネであり、ロッカーブラケット５１上に結合されて係止フック５２を弾力支持する。特に係止バネ５３は、係止フック５２が係止ブラケット６０に締結される方向へ係止フック５２を弾力支持し、但し、係止フック５２が係止ブラケット６０に締結されていない状態でもストッパ５４によって係止フック５２の回転は阻止されて固定された位置を維持することができる。
【００６５】
本発明による照明装置１は着脱手段７０を含んでなることができ、着脱手段７０は係止フック５２が係止ブラケット６０と分離される方向に係止フック５２を回転させることができる。
【００６６】
例えば、着脱手段７０は、ロープまたはワイヤなどの形態に形成されて一端部が係止フック５２に連結され、他端部が照明装置１の外部に露出されるように形成され得、着脱手段７０を引っ張る場合、係止フック５２が回転しながら係止ブラケット６０と分離されるようになる。
【００６７】
係止ブラケット６０は、ランプ器具２０の内側面に固定結合されて灯器具１０に向かって露出されている。
【００６８】
係止ブラケット６０は金属板を折曲した形状からなり、第１固定部６１、第２固定部６２及び係止板６３を含んでなることができる。
【００６９】
第１固定部６１は一対のガイドパネル２３の間でランプ器具２０の内側面に固定結合される。
【００７０】
第２固定部６２も一対のガイドパネル２３の間でランプ器具２０の内側面に固定結合され、係止板６３を基準として第１固定部６１とは反対側に位置する。
【００７１】
係止板６３は第１固定部６１から折曲された形状からなると共に、第２固定部６２から折曲された形状からなる。
【００７２】
係止板６３の端部は自由端からなり、ランプ器具２０が灯器具１０に結合される方向に回転する時（灯器具１０に対して相対回転する時）、係止板６３の端部が傾斜面を加圧しながら係止バネ５３が圧縮される方向に係止フック５２を回転させるようになる。係止板６３が係止フック５２を加圧して回転させる場合、係止板６３は一定の範囲で弾性変形することができる。
【００７３】
係止板６３は貫通形成された係止穴６４を有し、この係止穴６４に係止フック５２の端部が挿入されて係りながら、係止ロッカー５０と係止ブラケット６０との締結が行われるようになる。
【００７４】
本発明による照明装置１において、係止板６３は第１固定部６１及び第２固定部６２を基準に折曲された形態からなるため、係止板６３と係止フック５２の締結時に係止板６３の弾性回復が効果的になされ、係止ロッカー５０と係止ブラケット６０との堅固な結合が達成される。
【００７５】
以下、本発明による照明装置１における灯器具１０とランプ器具２０との結合過程について説明する。
【００７６】
まず、灯器具１０は建物の天井などに予め固設され、この時、結合溝１３は建物の底面に向かって露出されるようになる。
【００７７】
次に、図４（ａ）に示すように、ランプ器具２０に固定された一対のガイドパネル２３が結合溝１３内に挿入されるようにした状態で、ランプ器具２０の第２突出片４０が灯器具１０の第１突出片３０側に近づくよう摺動させる。
【００７８】
この時、第２突出片４０の反対側のランプ器具２０の部分は、灯器具１０と離隔した状態で維持されることができる（図８参照）。
【００７９】
ランプ器具２０を更に摺動させれば、第２突出片４０とキャップ２２との間の挿入溝４４に第１突出片３０が挿入されるようになり、第２突出片４０の第２係止部４１は第１突出片３０の第１係止部３２の間に介在し、第２突出片４０の第２密着部４２は第１突出片３０の第１密着部３１と密着又は近接した状態になる。
【００８０】
灯器具１０に対するランプ器具２０の摺動がそれ以上行われない時点で、灯器具１０に対して近付く方向にランプ器具２０を相対回転させ（第１突出片３０と第２突出片４０が結合した地点を回転軸にして回転させる）、この時、係止ブラケット６０の係止板６３と係止ロッカー５０の係止フック５２（傾斜面５２ａ部分）とが互いに接触しながら係止フック５２が回転し、係止板６３が係止ロッカー５０側に更に移動すると、係止フック５２が係止板６３の係止穴６４内に挿入されながら係って締結が行われる。
【００８１】
係止ロッカー５０と係止ブラケット６０との締結が行われた後、別途の外力が作用しない場合、灯器具１０とランプ器具２０との安定した結合が維持されるようになる。
【００８２】
灯器具１０からランプ器具２０を分離しようとする場合は、まず係止穴６４内に挿入された係止フック５２を引き出さなければならず、本発明では着脱手段７０を引っ張って係止フック５２を回転させることにより、係止板６３との分離が可能となる。
【００８３】
次に、結合される方向の反対方向にランプ器具２０を回転させた後、第１突出片３０と第２突出片４０とが離隔する方向へランプ器具２０を灯器具１０から分離する。
【００８４】
上述したように、本発明による照明装置１によれば、第１突出片３０に第２突出片４０が係った状態で、灯器具１０に対してランプ器具２０を相対回転させながら組み立てがなされるようにして灯器具１０とランプ器具２０との組み立てが容易になされ、特に照明装置１が比較的大型である場合にも、結合作業を容易に行うことができ、係止ロッカー５０が弾性変形しながら係止ブラケット６０に係るようになるため、灯器具１０とランプ器具２０との間の堅固な結合が達成されると共に、外部振動などによる灯器具１０とランプ器具２０との分離をも効果的に防止することができるようになる。
【００８５】
以上、本発明の特定の実施例が説明され示されているが、本発明は、記載の実施例に限定されるものではなく、本発明の思想及び範囲を逸脱せずに多様な修正及び変形が可能であることは、本技術分野において通常の知識を有する者にとって自明なことである。したがって、そのような修正例又は変形例は、本発明の技術的思想や観点から個別に理解されてはならず、変形された実施例は本発明の特許請求範囲に属するものと言える。
【符号の説明】
【００８６】
１：照明装置
１０：灯器具
１１：胴体
１２：固設面
１３：結合溝
２０：ランプ器具
２１：ハウジング
２２：キャップ
２３：ガイドパネル
３０：第１突出片
３１：第１密着部
３２：第１係止部
４０：第２突出片
４１：第２係止部
４２：第２密着部
４３：ガイド部
４４：挿入溝
５０：係止ロッカー
５１：ロッカーブラケット
５２：係止フック
５３：係止バネ
５４：ストッパー
６０：係止ブラケット
６１：第１固定部
６２：第２固定部
６３：係止板
６４：係止穴
７０：着脱手段
【図１】
2016149338.tif 000003
【図２】
2016149338.tif 000004
【図３】
2016149338.tif 000005
【図４】
2016149338.tif 000006
【図５】
2016149338.tif 000007
【図６】
2016149338.tif 000008
【図７】
2016149338.tif 000009
【図８】
2016149338.tif 000010
【図９】
2016149338.tif 000011